(57)【特許請求の範囲】
【請求項１】
複数の番組のデジタルオーディオデータと、コマーシャルのデジタルオーディオデータとを多重化して放送するデジタル音声放送の受信信号から、目的とする番組のデジタルオーディオデータおよび上記コマーシャルのデジタルオーディオデータを含む受信信号を中間周波信号に変換して出力するフロントエンド回路と、
このフロントエンド回路から出力される信号をデコードして上記目的とする番組のデジタルオーディオデータと、上記コマーシャルのデジタルオーディオデータとを分離して出力するデコーダ回路と、
このデコーダ回路から出力される上記コマーシャルのデジタルオーディオデータを記憶するメモリ回路と、
上記デコーダ回路から出力される上記目的とする番組のデジタルオーディオデータと、上記メモリ回路に記憶されている上記コマーシャルのデジタルオーディオデータとを選択的に取り出すスイッチ回路と、
このスイッチ回路から出力されるデジタルオーディオデータをデコードするオーディオデコーダ回路と、
このオーディオデコーダ回路から出力されるデジタルオーディオデータをアナログオーディオ信号に変換するＤ／Ａコンバータ回路と、
このＤ／Ａコンバータ回路から出力される上記アナログオーディオ信号を増幅してスピーカに供給するアンプと、
上記デコーダ回路から出力される上記目的とする番組のデジタルオーディオデータのエラーレイトが規定値以上であるか否かを検出する検出回路と、
上記フロントエンド回路、上記デコーダ回路、上記メモリ回路および上記スイッチ回路を制御する制御回路と
を有し、
上記制御回路は、
上記デコーダ回路から上記目的とする番組のデジタルオーディオデータが出力されるように、上記フロントエンド回路および上記デコーダ回路を制御し、
この制御状態において、上記制御回路は、
上記エラーレイトが、上記規定値未満のときには、上記デコーダ回路から出力される上記番組のデジタルオーディオデータを上記スイッチ回路から取り出すように、かつ、
上記エラーレイトが、上記規定値以上のときには、上記メモリ回路に記憶されている上記コマーシャルのデジタルオーディオデータを、上記スイッチ回路から取り出すように、上記スイッチ回路を上記検出回路の検出出力にしたがって制御する
ようにしたデジタル音声放送の受信機。
【請求項２】
請求項１に記載のデジタル音声放送の受信機において、
規定の時刻に、上記メモリ回路に記憶されている上記コマーシャルのデジタルオーディオデータに切り換えて音声を再生する
ようにしたデジタル音声放送の受信機。
【請求項３】
請求項１に記載のデジタル音声放送の受信機において、
電源の投入時に、上記メモリ回路に記憶されている上記コマーシャルのデジタルオーディオデータに切り換えて音声を再生する
ようにしたデジタル音声放送の受信機。
【発明の詳細な説明】
【０００１】
【発明の属する技術分野】
この発明は、デジタル音声放送の受信機に関する。
【０００２】
【従来の技術】
ヨーロッパにおいては、デジタル音声放送としてＥｕｒｅｋａ１４７規格にしたがったデジタル音声放送、すなわち、ＤＡＢ（登録商標）が実施されている。
このＤＡＢは、
伝送帯域幅：1.5ＭHz
変調方式  ：ＯＦＤＭ
オーディオ信号のデータ圧縮方式：ＭＰＥＧオーディオのレイヤII
を採用することにより、最大で64番組のデジタルオーディオデータやデジタルデータを多重化して放送するものである。
【０００３】
このため、ＤＡＢにおいては、番組の放送は例えば図２Ａに示すように階層構造とされている。すなわち、上記のように、ＤＡＢは１つのチャンネルで1.5ＭHzの伝送帯域幅を使用しているが、この伝送チャンネルは「アンサンブル」と呼 ばれ、このアンサンブルの中心周波数に同調を取ることにより、そのアンサンブルが選択される。なお、図２Ａは、そのアンサンブルに"DIGITAL AUDIO"の名称 が与えられている場合であり、この名称が受信機のディスプレイに表示される。
【０００４】
そして、このアンサンブルは、「サービス」と呼ばれる伝送チャンネルに分割されている。このサービスは、最大で64チャンネルとされるが、サービスのそれぞれは例えばＦＭ放送局の１局に対応する。なお、図２Ａは、アンサンブルが４つのサービス１〜４に分割されるとともに、そのサービス１〜４に、"Service1"〜"Service4"の名称が付けられている場合であり、これらの名称もディスプレイに表示される。
【０００５】
したがって、ＤＡＢの番組を聞く場合には、アンサンブル（周波数）を選択し、そのアンサンブルに含まれる複数のサービス（番組）から目的とするサービスを選択することになる。
【０００６】
【発明が解決しようとする課題】
ところで、一般に、放送には、受信料を徴収する有料放送と、受信料を徴収しない無料放送とがある。そして、放送事業者は、企業などのコマーシャルを放送することにより、受信料を無料にしたり、受信料が有料であっても低額にしたりしている。したがって、受信料が無料な放送や、有料であっても低額な放送の場合には、受信機がコマーシャルを安定に受信することが必要となる。
【０００７】
ところが、車両に搭載した受信機の場合、走行状態によって放送の受信状態が大きく変化し、電波の中継されていないトンネルの中、ビルや地下の駐車場などでは、放送を受信できないことがある。そして、そのようなときにコマーシャルが放送されていれば、当然、そのコマーシャルはリスナが聞かないことになる。
【０００８】
この発明は、このような問題点を解決しようとするものである。
【０００９】
【課題を解決するための手段】
この発明においては、
複数の番組のデジタルオーディオデータと、コマーシャルのデジタルオーディオデータとを多重化して放送するデジタル音声放送の受信信号から、目的とする番組のデジタルオーディオデータおよび上記コマーシャルのデジタルオーディオデータを含む受信信号を中間周波信号に変換して出力するフロントエンド回路と、
このフロントエンド回路から出力される信号をデコードして上記目的とする番組のデジタルオーディオデータと、上記コマーシャルのデジタルオーディオデータとを分離して出力するデコーダ回路と、
このデコーダ回路から出力される上記コマーシャルのデジタルオーディオデータを記憶するメモリ回路と、
上記デコーダ回路から出力される上記目的とする番組のデジタルオーディオデータと、上記メモリ回路に記憶されている上記コマーシャルのデジタルオーディオデータとを選択的に取り出すスイッチ回路と、
このスイッチ回路から出力されるデジタルオーディオデータをデコードするオーディオデコーダ回路と、
このオーディオデコーダ回路から出力されるデジタルオーディオデータをアナログオーディオ信号に変換するＤ／Ａコンバータ回路と、
このＤ／Ａコンバータ回路から出力される上記アナログオーディオ信号を増幅してスピーカに供給するアンプと、
上記デコーダ回路から出力される上記目的とする番組のデジタルオーディオデータのエラーレイトが規定値以上であるか否かを検出する検出回路と、
上記フロントエンド回路、上記デコーダ回路、上記メモリ回路および上記スイッチ回路を制御する制御回路と
を有し、
上記制御回路は、
上記デコーダ回路から上記目的とする番組のデジタルオーディオデータが出力されるように、上記フロントエンド回路および上記デコーダ回路を制御し、
この制御状態において、上記制御回路は、
上記エラーレイトが、上記規定値未満のときには、上記デコーダ回路から出力される上記番組のデジタルオーディオデータを上記スイッチ回路から取り出すように、かつ、
上記エラーレイトが、上記規定値以上のときには、上記メモリ回路に記憶されている上記コマーシャルのデジタルオーディオデータを、上記スイッチ回路から取り出すように、上記スイッチ回路を上記検出回路の検出出力にしたがって制御する
ようにしたデジタル音声放送の受信機
とするものである。
したがって、受信状態が悪化してそれまで聞いていた番組が聞こえなくなると、代わってコマーシャルが聞こえるようになる。
【００１０】
【発明の実施の形態】
図１は、この発明によるＤＡＢ受信機の一形態を示し、このＤＡＢ受信機は、図示はしないが、例えば車両に搭載されている。
【００１１】
そして、このＤＡＢ受信機においては、ＤＡＢの放送波信号がアンテナ１１により受信され、その受信信号がフロントエンド回路１２に供給される。このフロントエンド回路１２は、スーパーヘテロダイン方式に構成されるとともに、ＰＬＬを有してシンセサイザ方式に構成され、そのＰＬＬの可変分周回路の分周比Ｎを変更することにより、受信周波数（アンサンブル）を変更できるようにされている。
【００１２】
そして、このフロントエンド回路１２からは受信したＤＡＢの中間周波信号が取り出され、この信号がＡ／Ｄコンバータ回路１３に供給されてデジタル信号にＡ／Ｄ変換される。そして、このデジタル信号がデコーダ回路１４に供給され、直交復調、ＦＦＴ復調、Ｄ−ＱＰＳＫ復調、周波数デインターリーブ、タイムデインターリーブおよびエラー訂正などの処理が行われる。そして、デコーダ回路１４からは、選択信号ＳSELにしたがって、目的とするサービス（番組）のデジ タルオーディオデータＤPGMが選択されて出力される。
【００１３】
続いて、この出力されたデジタルオーディオデータＤPGMが、後述するスイッ チ回路１５を通じてオーディオデコーダ回路１６に供給されてＭＰＥＧオーディオのデコード処理が行われ、デコーダ回路１６からは、データ伸長されたデジタルオーディオデータＤPGMが取り出される。そして、このデジタルオーディオデ ータＤPGMがＤ／Ａコンバータ回路１７に供給されてアナログオーディオ信号Ｌ 、ＲにＤ／Ａ変換され、この信号Ｌ、Ｒがアンプ１８を通じてスピーカ１９Ｌ、１９Ｒに供給される。
【００１４】
また、例えばマイクロコンピュータにより構成されたシステム制御回路２１が設けられ、この制御回路２１からフロントエンド回路１２にアンサンブル（受信周波数）を選択するための周波数データとして、そのＰＬＬにおける可変分周回路の分周比Ｎのデータが供給される。さらに、制御回路２１からデコーダ回路１４にサービスの選択信号ＳSELが供給される。
【００１５】
また、制御回路２１には、各種の操作キーやダイヤルなどの入力操作部２２が接続されるとともに、ＬＣＤのような出力表示部２３が接続される。
【００１６】
こうして、入力操作部２２を操作すると、フロントエンド回路１２に供給される分周比Ｎが変更されて目的とするアンサンブルが選択され、このアンサンブルに含まれるサービスが選択信号ＳSELにより選択される。したがって、デコーダ 回路１６からは目的とする番組のデジタルオーディオデータＤPGMが出力され、 スピーカ１９Ｌ、１９Ｒから目的とする番組の音響が出力される。なお、このとき、表示部２３には、このとき、選択されているアンサンブルおよびサービスの名称が表示される。
【００１７】
そして、この発明においては、さらに次のように構成される。すなわち、例えば図２Ｂに示すように、複数のサービスのうち、その１つがコマーシャル専用とされる。図２Ｂの場合には、１つのアンサンブルが４チャンネルのサービス１〜４に分割され、そのうちのサービス４がコマーシャル専用とされた場合である。そして、このサービス４により、コマーシャルのデジタルオーディオデータＤCMが送出される。この場合、このコマーシャルのデジタルオーディオデータＤCMは、そのコマーシャルの内容やそのコマーシャルを提供している企業などの意向にもよるが、比較的低いビットレイトとすることができる。
【００１８】
そして、デコーダ回路１４からは、上述のように目的とするサービスのデジタルオーディオデータＤPGMが取り出されるとともに、コマーシャルのデジタルオ ーディオデータＤCMも取り出され、このデジタルオーディオデータＤCMがメモリ回路３１に格納される。
【００１９】
また、制御回路２１からメモリ回路３１に所定の読み出し信号が供給されてメモリ回路３１からコマーシャルのデジタルオーディオデータＤCMが読み出され、この読み出されたデジタルオーディオデータＤCMがスイッチ回路１５に供給される。
【００２０】
さらに、デコーダ回路１４から、これから出力されるデジタルオーディオデータＤPGMのエラーレイトが規定値以上であるか規定値未満であるかを示すエラー フラグＤERRが取り出される。そして、このエラーフラグＤERRが制御回路２１に供給される。また、制御回路２１において、エラーフラグＤERRの示すエラーレ イトに対応した制御信号ＳSWが形成され、この制御信号ＳSWがスイッチ回路１５に供給される。
【００２１】
このような構成において、サービスを正常に受信できている場合には、エラーフラグＤERRが、デコーダ回路１４から出力されるデジタルオーディオデータＤPGMのエラーレイトが規定値未満であることを示しているので、制御信号ＳSWによりスイッチ回路１５が図のようにデコーダ回路１４に接続される。
【００２２】
したがって、サービスを正常に受信できている場合には、上述のように、そのサービスに含まれる任意のサービスを聞くことができる。また、このとき、デコーダ回路１４から出力されたコマーシャルのデジタルオーディオデータＤCMがメモリ回路３１に順次格納されていく。
【００２３】
そして、例えば車両がトンネルに入ることにより、サービスの受信状態が悪化した場合には、エラーフラグＤERRが、デコーダ回路１４から出力されるデジタ ルオーディオデータＤPGMのエラーレイトが規定値以上であることを示すように なる。
【００２４】
すると、これが制御回路２１により検出され、制御回路２１からメモリ回路３１に所定の読み出し信号が供給されてメモリ回路３１からコマーシャルのデジタルオーディオデータＤCMが読み出される。また、制御信号ＳSWによりスイッチ回路１５が図とは逆にメモリ回路３１側に接続される。したがって、コマーシャルのデジタルオーディオデータＤCMがデコーダ回路１６に供給されることになるので、スピーカ１９Ｌ、１９Ｒからはコマーシャルが出力される。
【００２５】
そして、車両がトンネルを通過して再びサービスを正常に受信できるようになると、エラーフラグＤERRが、デコーダ回路１４から出力されるデジタルオーデ ィオデータＤPGMのエラーレイトが規定値未満であることを示すようになる。し たがって、制御回路２１により、メモリ回路３１からはデジタルオーディオデータＤCMは読み出されなくなるとともに、スイッチ回路１５が図の状態に接続され、それまで聞いていたサービスを聞くことができるようになる。
【００２６】
こうして、上述のＤＡＢ受信機によれば、番組（サービス）を正常に受信できなくなると、それまでに受信してメモリ回路３１に記憶しておいたコマーシャルを再生するようにしているので、そのコマーシャルを確実にリスナに届けることができる。
【００２７】
したがって、受信料が無料な放送や、有料であっても低額な放送の場合、企業などがそれらの番組を有効に提供することができるとともに、リスナもそのコマーシャルを情報として有効に利用することができる。また、サービスを受信できない場合でも、無音状態になることがなくなる。
【００２８】
さらに、同じ内容のコマーシャルを繰り返し再生することができるので、宣伝の効果が増大する。また、サービス４は、コマーシャルだけを送出しているので、企業のショールームや商店などで、サービス４を受信してそのコマーシャルを再生し、商品の宣伝やＢＧＭなどに使用することができる。
【００２９】
なお、上述の受信機においては、サービスを正常に受信できなくなったとき、メモリ回路３１に記憶しておいたコマーシャルを再生するようにしているが、選局を、それまで受信していたアンサンブルのサービスから他のアンサンブルのサービスへ変更する期間に、メモリ回路３１に記憶しておいたコマーシャルを再生することもできる。そして、この場合には、操作部２２の操作入力およびデコーダ回路１４により得られる番組データから、アンサンブルの変更および選択中を判別することができる。
【００３０】
また、コマーシャルのデジタルオーディオデータＤCMに、再生時刻を示すデータを付随させるととともに、受信機に現在時刻を計時する時計回路を設け、その時計回路の計時する時刻が、デジタルオーディオデータＤCMに付随する再生時刻になったとき、そのデジタルオーディオデータＤCMによりコマーシャルを再生することもできる。
【００３１】
さらに、メモリ回路３１を不揮発性にしておくとともに、受信機の電源を投入したときから目的とするサービスを安定に受信できるようになるまでの期間、そのメモリ回路３１からデジタルオーディオデータＤCMを読み出してコマーシャルを再生することもできる。あるいは受信機の電源を投入してから一定の期間、コマーシャルを再生することもできる。
【００３３】
〔この明細書で使用している略語の一覧〕
Ａ／Ｄ      ：Analog to Digital
ＢＧＭ      ：BackGround Music
Ｄ−ＱＰＳＫ：Differential Quadrature Phase Shift Keying
Ｄ／Ａ      ：Digital to Analog
ＤＡＢ      ：Digital Audio Broadcasting
Ｅｕｒｅｋａ：European Research Coordinating Action
ＦＦＴ      ：Fast Fourier Transform
ＬＣＤ      ：Liquid Crystal Display
ＭＰＥＧ    ：Motion Picture Image Coding Experts Group
ＯＦＤＭ    ：Orthogonal Frequency Division Multiplex
ＰＬＬ      ：Phase Locked Loop
【００３４】
【発明の効果】
この発明によれば、番組を正常に受信できなくなると、それまでに受信してメモリに記憶しておいたコマーシャルを再生するようにしているので、そのコマーシャルを確実にリスナに届けることができる。したがって、企業などが番組を有効に提供することができるとともに、リスナもそのコマーシャルを情報として有効に利用することができる。
【００３５】
また、同じ内容のコマーシャルを繰り返し再生することができるので、宣伝の効果が増大する。さらに、サービスを受信できない場合でも、無音状態になることがなくなる。
【図面の簡単な説明】
【図１】この発明の一形態を示す系統図である。
【図２】この発明を説明するための図である。
【符号の説明】
１１…アンテナ、１２…フロントエンド回路、１３…Ａ／Ｄコンバータ回路、１４…デコーダ回路、１５…スイッチ回路、１６…オーディオデコーダ回路、１７…Ｄ／Ａコンバータ回路、１８…アンプ、１９Ｌおよび１９Ｒ…スピーカ、２１…制御回路、２２…入力操作部、２３…表示部、３１…メモリ回路
【図１】
0004240184.tif 000002
【図２】
0004240184.tif 000003